(57)【要約】      （修正有）【課題】ストロー孔用半切れ線形成の必要がなく、従って、容器コストを抑えることができ、包装材料の一部が容器内部に落下する恐れが無い紙包装容器を提供する。【解決手段】紙包装容器は、折目線が付けられた包装積層材料の板紙を角筒状に成形し、底をシールした容器に液体食品を充填し、切妻形状に上部をシールした屋根型紙容器であって、その切妻の一端に上記折り目線を介して注ぎ口を形成すると共に、その切妻の他端に上記折り目線を介してストロー用孔２を形成することを特徴とする。【選択図】図１
2005212853.tif 000002
【特許請求の範囲】
【請求項１】
折目線が付けられた包装積層材料の板紙を角筒状に成形し、底をシールした容器に液体食品を充填し、切妻形状に上部をシールした屋根型紙容器であって、
該切妻の一端に該折り目線を介して注ぎ口を形成すると共に、該切妻の他端に該折り目線を介してストロー用孔を形成することを特徴とする紙包装容器。
【請求項２】
切妻形状に上部をヒートシールした屋根型紙容器であって、該ストロー用孔を容易に形成するように、ヒートシール面の一部又は全面に、ヒートシール阻害剤が塗布されている、請求項１記載の紙包装容器。
【請求項３】
切妻形状に上部をヒートシールした屋根型紙容器であって、該ストロー用孔を容易に形成するように、ヒートシール面の一部又は全面に、ヒートシール弱化用凹凸が形成されている、請求項１記載の紙包装容器。
【発明の詳細な説明】
【技術分野】
【０００１】
本発明は、紙包装容器に関する。
【背景技術】
【０００２】
牛乳、ジュース、ミネラルウォーターなどの飲料を収容する包装紙容器は、例えば、折目線が付けられ、外観デザインが印刷されたウェブ状包装積層材料から得られる。
積層包装材料は、内側から順に熱可塑性材料層（ポリエチレン樹脂層）、紙層（繊維質基材）、及びポリエチレン樹脂層を基本的に有する。
内外面に熱可塑性樹脂層を設けた紙積層材料からなる屋根型紙容器は、図３に示すように、角筒状体の本体５１と、切妻形状の頂部の屋根部分５２と、頂部の密封部分５３とからなる。この切妻の一端で折り目線を介して、折り畳み部分５４、５５を両側に広げ、奥に折り込まれていた中央部分を外側に押し出すことによって、注ぎ口を形成することができる。
この態様の屋根型紙容器は、密封部分５３の上端にバリアフリー用の注ぎ口形成方向示唆ノッチ５６が形成されている。
【０００３】
この態様の屋根型紙容器は、図２に示す容器展開図（図２（ａ）裏面、図２（ｂ）外面）のような包装材料を折り、縦シールし、底部を形成することにより得られる。図２に示す包装積層材料の板紙では、折り線により区画されたパネル１、２、３、４、５……からなる。図示するパネル１〜５が切妻形状の頂部の屋根部分５２を形成する。パネル５は縦シールを、図中の斜線部分はヒーターによりヒートシールされる部分である。
【０００４】
屋根型容器は、密封された頂部を、その切妻の一端で折り目線を介して、開封して使用される。一般的に開封し易くするために開封箇所内面に剥離剤が塗布されている。図２の容器展開図に示すように、パネル２外面（開封口外側）の加熱すべき部分に対向する熱風噴射ノズルからの熱風により、また、他のパネルの加熱すべき部分に対向する熱風噴射ノズルからの熱風による雰囲気の中で、パネル２裏面（開封口内側）の加熱忌避部分が、熱伝導により加熱され、次工程の頂部密封において、加熱忌避部分が接着され、剥離剤が塗布されていないと、開封しづらくなるからである。
他方、注ぎ口側と逆の切妻の他端は、折り目線を介して開封されないように、図２に示す包装積層材料のパネル４上部の斜線部分はヒーターにより十分にヒートシールされる。
【０００５】
屋根型紙容器において、上述のように、切妻の一端で折り目線を介して開封する使用態様の他、ストローを用いて使用する態様がある。この態様の屋根型紙容器では、従来、図４に示すように、角筒状体の本体５１と、切妻形状の頂部の屋根部分５２と、頂部の密封部分５３とからなり、屋根部分５２の傾斜面にＵ字状の外面からの半切れ線４２が形成され、更に、ストロー用の内面からの半切れ線４４が形成されている。
使用に際して、Ｕ字状の外面からの半切れ線４２から、容器器壁材料を、図４に示すように、剥がすことによって、ストロー孔４３が形成される。
【特許文献１】実公昭６０−３４５７２号公報
【発明の開示】
【発明が解決しようとする課題】
【０００６】
しかしながら、従来の紙包装容器においては、ストローを用いて使用する場合、その容器にストロー孔用の半切れ線などを形成する必要がある。これらの形成処理は容器コストを押し上げ、工程の数を増やす。
【０００７】
容器にストロー孔用の半切れ線などを形成し、ストローで容器を使用する場合、ストロー孔に対応していた包装材料の一部が、ストローを孔に差し込むときに、容器内部に落下することがある。ストロー孔用の半切れ線形成なくストローを使用できる態様が望まれている。
【０００８】
この発明は、ストロー孔用半切れ線形成の必要がなく、容器コストを抑え、包装材料の一部が容器内部に落下することがない屋根型紙容器を提供することである。
【課題を解決するための手段】
【０００９】
この発明による紙包装容器は、折目線が付けられた包装積層材料の板紙を角筒状に成形し、底をシールした容器に液体食品を充填し、切妻形状に上部をシールした屋根型紙容器であって、
その切妻の一端に上記折り目線を介して注ぎ口を形成すると共に、その切妻の他端に上記折り目線を介してストロー用孔を形成することを特徴とする。
【００１０】
この発明の好ましい態様の紙包装容器は、切妻形状に上部をヒートシールした屋根型紙容器であって、該ストロー用孔を容易に形成するように、ヒートシール面の一部又は全面に、ヒートシール阻害剤が塗布されている。
【００１１】
この発明の好ましい態様の紙包装容器では、切妻形状に上部をヒートシールした屋根型紙容器であって、該ストロー用孔を容易に形成するように、ヒートシール面の一部又は全面に、ヒートシール弱化用凹凸が形成されている。
【発明の効果】
【００１２】
この発明による紙包装容器は、切妻形状の頂部の屋根部分において、切妻の一端で折り目線を介して、折り畳み部分を両側に広げ、奥に折り込まれていた中央部分を外側に押し出すことによって、注ぎ口を形成することができる。また、切妻の他端で折り目線を介して、折り畳み部分を両側に広げ、奥に折り込まれていた中央部分を外側に押し出すことによって、ストロー用孔を形成することができる。この発明では、実際の使用に際しては、注ぎ口形成、及び／又は、ストロー用孔形成を行うことができる。
【００１３】
屋根型紙容器の上部を切妻形状にシールしたシール面を剥離することによって、ストロー用孔を形成するので、ストロー孔に対応していた包装材料の一部が容器内部に落下することがない。
この発明の好ましい態様では、ヒートシール面の一部又は全面にヒートシール阻害剤を塗布するので、ストロー用孔を容易に形成することができる。
【００１４】
この発明の好ましい態様の紙包装容器では、切妻形状に上部をヒートシールした屋根型紙容器であって、該ストロー用孔を容易に形成するように、ヒートシール面の一部又は全面に、ヒートシール弱化用凹凸が形成されている。
本発明の紙包装容器によって、ストロー孔用半切れ線形成の必要がなく、従って、容器コストを抑えることができ、包装材料の一部が容器内部に落下する恐れが無い。
【発明を実施するための最良の形態】
【００１５】
以下、本発明の実施の形態について図面を参照しながら詳細に説明する。
本発明の実施例について図面を参照しながら詳細に説明する。図１は本発明の一実施例を示す紙包装容器の概略図、図２は本発明の紙包装容器の製造に使用できる包装積層材料板紙の外面と裏面との展開図、図３は紙包装容器の外観図、図４はストロー用半切れ線を有する従来容器の外観図である。
【００１６】
図１に示す態様の屋根型紙容器は、角筒状体の本体５１と、切妻形状の頂部の屋根部分５２と、頂部の密封部分５３とからなる。この態様の屋根型紙容器は、密封部分５３の上端にバリアフリー用の注ぎ口形成方向示唆ノッチ５６が形成されている。
本発明の特徴は、注ぎ口形成ではなく、ストロー用孔形成を行うことができることである。切妻の一端に折り目線を介して、折り畳み部分５などを両側に広げ、奥に折り込まれていた中央部分６を外側に押し出すことによって、ストロー用孔２を形成することができる。
【００１７】
図１に示す態様では、大きく広くストロー用孔を形成しているが、中央部分６を少しだけシール面から剥がし、狭い隙間のストロー用孔とすることもできる。ストロー用孔２には、ストロー１を差し込むことができ、そのストロ−１で、容器内容物を飲用することができる。
【００１８】
この発明において、使用できるストローは、伸縮２段ストロー、１本ストロー、蛇腹ストロー、溝付きストロー及びストッパー付きストローなど種々のストローがある。図１に示す態様では、蛇腹ストローが用いられ、途中で屈曲されて、容器底内面に到達している。
【００１９】
次いで、本発明の紙包装容器の製造に使用できる包装積層材料の板紙の一例を、図２を参照して説明する。
図２は包装積層材料板紙の外面（図２（ｂ））と裏面（図２（ａ））との展開図である。切妻形状に上部をヒートシールした屋根型紙容器の好ましい態様では、ストロー用孔を容易に形成するように、ヒートシール面の一部に、ヒートシール阻害剤が塗布されている。例えば、裏面（図２（ａ））で矢印示すように、パネル４の矢印部分ＥＯ、若しくは、パネル４に加えてパネル１及び３の矢印部分ＥＯに、ヒートシール阻害剤を部分的に塗布することができる。
この態様では、ヒートシール面（パネル４、又は、パネル４、１及び３のヒートシール部分）の一部にヒートシール阻害剤を塗布するので、ストロー用孔を容易に形成することができる。
【００２０】
本発明の別の実施例のヒートシールした屋根型紙包装容器の態様では、ストロー用孔を容易に形成するように、ヒートシール面の一部又は全面に、ヒートシール弱化用凹凸が形成されている。
その凹凸は、前述の態様におけるヒートシール阻害剤塗布箇所ＥＯと同じ、若しくは、ストロー用孔を容易に形成することができる箇所に、形成することができる。
【００２１】
なお、本発明は前記実施の形態に限定されるものではなく、本発明の趣旨に基づいて種々変形させることが可能であり、それらを本発明の範囲から排除するものではない。
【産業上の利用可能性】
【００２２】
この発明の紙包装容器によって、牛乳、ジュース、ミネラルウォーターなどの飲料、流動食品などの包装容器を製造することができる。
【図面の簡単な説明】
【００２３】
【図１】本発明の一実施例を示す紙包装容器の概略図
【図２】包装積層材料板紙の展開図
【図３】紙包装容器の外観図
【図４】従来容器の外観図
【符号の説明】
【００２４】
１  ストロー
２  ストロー用孔
５１  本体  
５２  屋根部分  
５６  ノッチ  
【図１】
2005212853.tif 000003
【図２】
2005212853.tif 000004
【図３】
2005212853.tif 000005
【図４】
2005212853.tif 000006